(57)【要約】  【課題】ヒンジキャップ方式の蓋装置に不正開封確認用の係止部を設けるにおいて、構造の簡易性、視認の確実性、キャップの開き操作の容易性を確保する。  【手段】係止部１８は、本体１のうち軸心を挟んでヒンジ３，４と反対側の部位に形成されている。係止部１８は、水平部１９とその外周に設けた壁部２０とからなっており、水平部１９はブリッジ部２２を介して本体１に繋がっている。壁部２０にはキャップ２の摘まみ片１５が嵌まり込む窓穴２１が空いている。封止状態で係止部１８は露出しているため視認性に優れており、かつ、封止解除後はキャップ２の摘まみ片１５はその全体が露出するため、キャップ２の開き操作を容易に行える。【選択図】      図３
2007008539.tif 000002
【特許請求の範囲】
【請求項１】
容器の口部に強制嵌合で取付けられる本体と、屈曲自在なヒンジを介して前記本体に一体に設けたキャップとを備えており、前記本体には、注出口とプルオープン式の閉鎖板とを設けている一方、前記キャップのうち軸心を挟んでヒンジと反対側の自由端部に摘まみ片を突設しており、キャップを開けると注出口が露出するようになっている液体容器用の合成樹脂製の蓋装置であって、
前記本体のうち軸心を挟んでヒンジと反対側の部位に、閉じた状態でのキャップの摘まみ片を上方及び左右両側から囲うと共に本体から除去又は引き起こし可能な係止部を、当該係止部の弾性変形によって摘まみ片が嵌まり込むように形成している、
液体容器用の蓋装置。
【発明の詳細な説明】
【技術分野】
【０００１】
本願発明は、例えば液体調味料や食用油等の液体を包装する容器（瓶、ボトル）に使用する合成樹脂製の蓋装置に関するものである。
【背景技術】
【０００２】
この種の蓋装置は、容器の口部に強制嵌合によって取付け（嵌着）される本体と、この本体を上方から塞ぐキャップとを備えており、本体とキャップとが別体になっていてキャップがねじ蓋方式になっているものと、キャップがヒンジを介して本体に一体に繋がっているタイプとがあり、ヒンジキャップ方式の蓋装置では、キャップのうち軸心を挟んでヒンジと反対側の自由端部に、開き操作に際して指を掛ける摘まみ片を突設している。
【０００３】
そして、ヒンジキャップ方式の蓋装置において、流通段階で不正開封された場合にその事実を視認できる手段、或いは、幼児が開けて事故が発生することを防止する手段を講じることが提案されている。その例として特許文献１では、キャップのうち摘まみ片の付け根箇所に下向き鉤状の突片を設ける一方、本体のうち軸心を挟んでヒンジと反対側に位置した部位に、弾性変形によって前記突片が嵌入する帯片を形成している。この特許文献１では、キャップを開くと帯片又は突片が破断する。
【０００４】
また、特許文献２では、本体のうち軸心を挟んでヒンジと反対側の部位に、閉じた状態でのキャップの摘まみ片を囲う上向き開口の壁体を形成し、この壁体に、弾性変形によってキャップの摘まみ片が入り込むフランジを形成した構成が記載されている。この特許文献２では、壁体に設けた帯片を切り裂くとフランジも一緒に引き千切られて、キャップを開けることができる。
【特許文献１】実公平２−２１４０６号公報
【特許文献２】特公平４−３６９４６号公報
【発明の開示】
【発明が解決しようとする課題】
【０００５】
特許文献１の構成は構造は簡単であるが、突片及び帯片は摘まみ片で隠れているため、不正開封されてもその事実を簡単に発見しにくいという問題があった。また、摘まみ片に指を掛けて開封するに際して突片と帯片との係合が抵抗として作用するが、突片と帯片との存在が分かりにくいことから、開封に異常に力が掛かることに対して消費者に不快感を与える虞もあった。
【０００６】
他方、特許文献２では帯片は摘まみ片の外側に露出しているため不正開封されるとその事実を即座に視認でき、また、帯片を引き裂くとキャップは簡単に開くことができるため、消費者に不快感を与えることもないと言える。しかし、構造が複雑であるため製造用金型の加工コストが嵩むという問題や、帯片を引き裂いた後に壁体が本体に残ったままであるため、開封後にキャップの摘まみ片に指をかけにくい（すなわち開けにくい）という問題があった。
【０００７】
本願発明は、このような実情に鑑みなされたもので、不正開封発覚機能を有する蓋装置において、より改良されたものを提供することを課題とするのものである。
【課題を解決するための手段】
【０００８】
本願発明は、容器の口部に強制嵌合で取付けられる本体と、屈曲自在なヒンジを介して前記本体に一体に設けたキャップとを備えており、前記本体には、注出口とプルオープン式の閉鎖板とを設けている一方、前記キャップのうち軸心を挟んでヒンジと反対側の自由端部に摘まみ片を突設しており、キャップを開けると注出口が露出するようになっている液体容器用の合成樹脂製の蓋装置において、前記本体のうち軸心を挟んでヒンジと反対側の部位に、閉じた状態でのキャップの摘まみ片を上方及び左右両側から囲うと共に本体から除去又は引き起こし可能な係止部を、当該係止部の弾性変形によって摘まみ片が嵌まり込むように形成している。
【発明の効果】
【０００９】
本願発明において、係止部を本体から除去するか引き起こすかしてキャップの摘まみ片と係止部との係合状態を解除しないとキャップを開けることはできず、この機能は特許文献１，２と同様である。そして、本願発明では、キャップの摘まみ片が係止部で囲われていることから、不正開封があるとその事実を即座に視認することができる。
【００１０】
また、係止部を除去したり引き起こしたりすることによってキャップの摘まみ片はその全体が露出するため、簡単に開封することができる。また、特許文献２のような囲い壁は不要であるため構造も簡単であり、このため金型の加工コストが嵩むこともない。
【発明を実施するための最良の形態】
【００１１】
次に、本願発明の実施形態を図面に基づいて説明する。
【００１２】
(1).第１実施形態（図１〜図４）
図１〜図４では第１実施形態を示している。図１はキャップを開いた状態での平面図、図２のうち（Ａ）は図１の縦断正面図、（Ｂ）は図１の IIB-IIB視断面図、図３はキャップを開いた状態での一部破断斜視図、図４はキャップを閉じた状態での縦断正面図である。
【００１３】
蓋装置は本体１とキャップ２とからなっており、両者は１本のセンターヒンジ３及び２本のサイドヒンジ４を介して一体に繋がっている。本体１は、容器の口部５に外側から嵌まる外筒６と、容器の口部５に内側から嵌まる内筒７と、内筒７の上端と一体に連続した注出口８と、注出口８の下端を封止する閉鎖板９とを備えている。容器の口部５の外面には環状係合溝５ａが形成されている一方、本体１の外筒６には、環状係合溝１０と嵌合する環状突起６ａが形成されている。
【００１４】
外筒６と内筒７との上端は段部１０を介して一体に連続しており、段部１０は、注出口８を囲うリング部１１を形成している。注出口８はヒンジ３，４に近い半分程の部分が低くなるように段違いになっている。閉鎖板９にはループ状のスコアー（薄肉部）１２が形成されており、スコアー１２で囲われた部分の端部にプルリング（プルタブ）１３を一体に設けている。いうまでもないが、プリリング１３を引っ張ってスコアー１２の箇所を引き千切ることにより、内容物を注ぎ出すことができる。
【００１５】
キャップ２は閉じた状態で本体２の段部１０に重なるように筒部と天板とを備えており、天板には注出口８に内側から嵌合する中足１４を設けている。また、キャップ２のうち軸心を挟んでヒンジ３，４と反対側に位置した自由端部には摘まみ片１５を突設している。摘まみ片１５の下面には指の引っ掛かりを良くするためのリブ１５ａを形成している。
【００１６】
そして、本体１のうち軸心を挟んだヒンジ３，４と反対側の端部には、キャップ２の摘まみ片１５が嵌まり込む係止部１８を形成している。係止部１８は、本体１の外周面から外向きにはみ出る水平部１９と、水平部１９の外縁から立ち上がった壁部２０とを備えている。水平部１９はキャップ２の摘まみ片１５と重なる窓穴２１が空いており、窓穴２１を挟んだ両側において千切り可能なブリッジ部（弱化部）２２を介して本体１に繋がっている。壁部２０はキャップ２の摘まみ片１５が嵌まるように門形に形成されている。すなわち、窓穴２１は壁部２０まで広がっている。
【００１７】
蓋装置１はキャップ２を開いた状態で成形（製造）される。そして、キャップ２を閉じると、図４に示すように、摘まみ片１５が係止部１８の弾性に抗して壁部２０の窓穴２１に嵌まり込み、すると、係止部１８を引き千切らない限りキャップ２を開けることはできない。このため、不正開封があればその事実を即座に視認できる。
【００１８】
そして、係止部１８の全体を除去するものであるため、係止部１８を除去した後は摘まみ片１５の全体が露出しており、このため、キャップ２を開けるに際しては摘まみ片１５に指をしっかりと掛けることができて、キャップ２の開き操作を容易に行うことができる。また、係止部１８は単純な形態であるため、構造が簡単で成形も容易である。
【００１９】
図３に一点鎖線で示すように、係止部１８の壁部２０を左右両側又は片側に張り出すことにより、切除するに際して摘まみ易くことも可能てある。また、図４に一点鎖線で示すように、係止部１８の壁部２０に窓穴２１を形成せずに、壁部２０で摘まみ片１５の先端面を覆う形態となすことも可能である。更に、係止部１８の水平部１９には必ずしも窓穴２１を形成する必要はない。更に、図４に二点鎖線で示すように、水平部１９から下方に延びる縦リブ２３を形成することも可能である。
【００２０】
(2).容器からの取り外し対策
本実施形態では、本体１の段差部１０のうちヒンジ３，４に寄った略半分程度の範囲の箇所には、外筒６よりも外側に位置した上向きの長溝２４が形成されており、長溝２４を挟んで外側に位置したアウターリング２５にヒンジ３，４が一体成形されている。アウターリング２５を設けた部分では外筒６はその肉厚が他の部分に比べて薄くなっている。
【００２１】
また、アウターリング２５はヒンジ３，４の箇所では下端の連結部２６を介して外筒６と一体に繋がっており、連結部２６の左右両側の部位では外筒６とは繋がっていない。そして、アウターリング２５のうち連結部２６の左右両端に位置した部位に縦長スコアー２７を形成している。
【００２２】
容器に包装された内容物を消費し切った後、キャップ２を手で掴んでいったん下向きに引っ張るとアウターリング１５は縦長スコアー２７の箇所で破断する。次に、キャップ２を上向きに引っ張ることにより、内外の筒６，７と容器の口部５との係合を解除して、本体１を容器の口部５から取外すことができる。このため、容器と蓋装置との分別を簡単に行える。
【００２３】
(3).他の実施形態（図５〜図６）
図５及び図６では他の実施形態を示している。このうち図５に示す第２実施形態は第１実施形態の変形例であり、係止部１８の壁部２０をブロック状に形成して、キャップ２の外周面と対向した面を、下端に行くに従ってキャップ２に近づくような傾斜面に形成している。このように形成すると、キャップ２の封止状態をより確実ならしめることができる。
【００２４】
図６では第３実施形態を示している。（Ａ）は正面図、（Ｂ）は（Ａ）のＢ−Ｂ視断面図、（Ｃ）は（Ａ）のＣ−Ｃ視断面図である。この実施形態では、係止部１８は、本体１の外周面に重なるような状態で配置されており、かつ、キャップ２の摘まみ片１５が嵌まる下向き開口の切り開き溝２８を有して門形（下向き開口コ字状）に形成されている。また、人が上端に指を掛け得るように、切り開き溝２８の上方に長く延びている。
【００２５】
更に、切り開き溝２８を挟んで両側に位置した部分は、その下端は屈曲可能なヒンジ部２９を介して本体１に繋がっており、また、上部は引き千切り可能なブリッジ部３０を介して本体１に繋がっている。そして、本体１の外周面のうち係止部１８の下方には、係止部１８を下方に引き起こした状態に保持する左右一対の保持片３１を形成している。保持片３１は平面視で鉤状に形成されている。
【００２６】
この実施形態では、係止部１８の上端に指を掛けて、ヒンジ部２９を支点にして係止部１８を下向きに回動させると、ブリッジ部３０が千切れてキャップ２を開けることができる。そして、係止部１８は保持片３１により、本体１に取り付いた状態のままに保持される。
【００２７】
保持片３１を設けずに係止部１８を本体１から除去することも可能であるが、本実施形態のように封止解除後も本体１に取り付いたままにしておくと、係止部１８もリサイクルできる利点がある。なお、キャップ２を閉じるときにブリッジ部３０が千切れないように、キャップ２を閉じるに際しては係止部１８のうちブリッジ部３０の箇所を外から押さえておくのが好ましい。
【００２８】
(4).その他
本願発明は上記の実施形態の他にも様々に具体化することができる。例えば、係止部を引き起こしによって摘まみ片との係合を解除する場合、係止部を水平方向に回動させる方式とすることも可能である（この場合、係止部は本体から除去しても良いし、本体に残ったままであっても良い）。
【００２９】
また、第１実施形態の場合、水平部は本体に残ったままで、壁部のみが除去される構成とすることも可能である（この場合は、壁部はブリッジ等の弱化部を介して水平部に一体成形することになる）。更に、ヒンジは第１実施形態のように３本タイプとする必要はなく、１本タイプや２本タイプなどにしても良い。
【図面の簡単な説明】
【００３０】
【図１】第１実施形態においてキャップを開いた状態での平面図である。
【図２】(A) は図１の縦断正面図、(B) は図１の IIB-IIB視断面図である。
【図３】キャップを開いた状態での一部破断斜視図である。
【図４】キャップを閉じた状態での縦断正面図である。
【図５】第２実施形態を示す図である。
【図６】第３実施形態を示す図である。
【符号の説明】
【００３１】
１  本体
２  キャップ
５  容器の口部
６  外筒
７  内筒
８  注出口
９  閉鎖板
１３  プルリング
１５  キャップの摘まみ片
１８  係止部
１９  水平部
２０  壁部
２１  窓穴
２２  ブリッジ部
【図１】
2007008539.tif 000003
【図２】
2007008539.tif 000004
【図３】
2007008539.tif 000005
【図４】
2007008539.tif 000006
【図５】
2007008539.tif 000007
【図６】
2007008539.tif 000008